(57)【要約】【課題】ユーザ個々の電池の使用状況・環境状況を記録保存する。【解決手段】電源を供給する電池と、電池の各種情報を検出するタイミングを計測する時間計測手段と、所定時間毎に各種情報を検出する検出手段と、検出手段による検出値を使用しているユーザが識別できるように記憶する記憶手段と、を備える。【選択図】図１
2010130589.tif 000002
【特許請求の範囲】
【請求項１】
電源を供給する電池と、
前記電池の各種情報を検出するタイミングを計測する時間計測手段と、
所定時間毎に前記各種情報を検出する検出手段と、
前記検出手段による検出値を使用しているユーザが識別できるように記憶する記憶手段と、を備えることを特徴とする携帯端末。
【請求項２】
前記記憶手段は、本体メモリに記憶後、外部記憶媒体へと前記検出値を記憶することを特徴とする請求項１記載の携帯端末。
【請求項３】
前記記憶手段は、ＵＳＩＭカードに記憶することを特徴とする請求項２記載の携帯端末。
【請求項４】
前記記憶手段は、ＵＳＡＴ機能を使用して記憶することを特徴とする請求項３記載の携帯端末。
【請求項５】
前記記憶手段は、前記各種情報と、一定時間毎にリセットする時間と、を関連づけて記憶することを特徴とする請求項１から４のいずれか１項に記載の携帯端末。
【請求項６】
電源を供給する電池の各種情報を検出するタイミングを計測する時間計測ステップと、
所定時間毎に前記各種情報を検出する検出ステップと、
前記検出ステップによる検出値を使用しているユーザが識別できるように記憶する記憶ステップと、を備えることを特徴とする携帯端末の情報記憶方法。
【請求項７】
前記記憶ステップは、本体メモリに記憶後、外部記憶媒体へと前記検出値を記憶することを特徴とする請求項６記載の携帯端末の情報記憶方法。
【請求項８】
前記記憶ステップは、ＵＳＩＭカードに記憶することを特徴とする請求項７記載の携帯端末の情報記憶方法。
【請求項９】
前記記憶ステップは、ＵＳＡＴ機能を使用して記憶することを特徴とする請求項８記載の携帯端末の情報記憶方法。
【請求項１０】
電源を供給する電池の各種情報を検出するタイミングを計測する時間計測処理と、
所定時間毎に前記各種情報を検出する検出処理と、
前記検出処理による検出値を使用しているユーザが識別できるように記憶する記憶処理と、をコンピュータに実行させるプログラム。
【発明の詳細な説明】
【技術分野】
【０００１】
本発明は、各ユーザの使用環境をそれぞれ識別して保存可能な携帯端末、その情報記憶方法及びプログラムに関する。
【背景技術】
【０００２】
近年の携帯端末は、さらなる小型化が進む一方、ユーザの使い勝手を向上するために電池の長寿命化が求められている。しかしながら、小型化と電池の長寿命化は、技術的に相反するものであり、電池の高密度エネルギー化を進めるがあまり、様々な課題が発生している。
【０００３】
例えば、ノートＰＣや携帯電話の電池の発熱・発煙が、しばしば市場で発生しており、ＰＬ（Product  Liability）の観点からも対策が強く求められている。
【０００４】
また、近年、ＳＩＭ（Subscriber Identity Module）カードやＵＳＩＭ（Universal Subscriber Identity Module）カードといったＩＣカードを接続可能な携帯端末が普及している。
【０００５】
ＳＩＭカードは、ＧＳＭ（Global System for Mobile Communication）標準規格として採用されている小型ＩＣカードであり、フラッシュメモリからなる記憶部と、ＣＰＵ（Central Processing Unit）により構成された中央演算処理部とを備えている。
【０００６】
ＵＳＩＭカードは、Ｗ−ＣＤＭＡ（Wideband-Code Division Multiple Access）方式を採用した携帯電話機のように、ＩＭＴ（International Mobile Telecommunication）−２０００の標準規格として採用されているＳＩＭカードの互換ＩＣカードである。
【０００７】
ＵＳＩＭカードは、記憶部を保持しており、該記憶部には移動体通信無線プロトコルの動作に必要な情報（例えば、無線区間での移動端末制御に用いられる移動機識別番号（ＩＭＳＩ；International Mobile Subscriber Identity）、自局電話番号等の加入者情報、端末位置情報、暗証番号等のセキュリティ情報）、及び各種ユーザ情報（例えば課金情報、電話帳、発着信履歴）が必須情報として保存されている。
【０００８】
また、ＵＳＩＭカードには、移動通信網からの認証要求に対する認証の値を計算する機能や、ＳＭＳと呼ばれるショートメッセージサービスを利用して電子商取引などを行うアプリケーションＵＳＡＴ（ＵＳＩＭ Application Toolkit）が任意機能として用意されている。ユーザは、自分専用のＵＳＩＭカードを所有し、複数の携帯端末に選択的に装着することで、複数の携帯端末を使い廻すことが可能となり、利便性が大幅に向上している。
【０００９】
従来における携帯端末は、図７に示すように、電源部２１の電池２２の電圧・電流・温度などの使用状況及び環境状況は、電池検出部２３により読み出され、読み出した情報を信号線を介して、携帯端末本体２５の制御部２６で読み出し、逐次本体メモリ２７へ保存格納していた。
【００１０】
これは電池の安全性の向上のために様々な取り組みのうちの一つの施策例であり、安全性向上のために、電池２２がユーザ個々でいかなる動作・環境で使用されているかを把握することを目標としている。
【００１１】
例えば、個々のユーザによる使用環境下で、無線部などを含む機能部２８の負荷が異常な状況へ至ったり、電源部２１の故障などにより発熱の事象が発生した場合、前記ユーザがいかなる動作・環境で電池２２を使用していたかを本体メモリ２７から読み出し、把握することにより迅速な原因究明が可能となり、ひいては同様な事象が同機器を使用している他のユーザにて発生することを未然に防ぐことが可能となる。
【００１２】
例えば特許文献１には、定期的に駆動中におけるバッテリパックの残容量、電池温度、電池電圧、充放電電流を取り出し、そのデータを基に特性グラフを作成・表示するとともに、メモリ上のファイルに書き込む技術について開示されている。
【特許文献１】特開平１０−１４９８４２号公報
【発明の開示】
【発明が解決しようとする課題】
【００１３】
しかしながら、特許文献１に記載される技術などでは、例えば機種変更などにより、複数のユーザが同一の携帯端末を使用した場合、本体メモリ７には複数のユーザの電池使用状況・環境状況が切れ目なく蓄積されてしまい、個々のユーザによる電池２の使用状況・環境状況が正確に判断できなくなってしまっていた。
【００１４】
そこで本発明は、上記問題点に鑑みてなされたもので、ユーザ個々の電池の使用状況・環境状況を記録保存することを目的とする。
【課題を解決するための手段】
【００１５】
上記課題を解決するため、本発明における携帯端末は、電源を供給する電池と、電池の各種情報を検出するタイミングを計測する時間計測手段と、所定時間毎に各種情報を検出する検出手段と、検出手段による検出値を使用しているユーザが識別できるように記憶する記憶手段と、を備えることを特徴とする。
【００１６】
また、本発明における携帯端末の情報記憶方法は、電源を供給する電池の各種情報を検出するタイミングを計測する時間計測ステップと、所定時間毎に各種情報を検出する検出ステップと、検出ステップによる検出値を使用しているユーザが識別できるように記憶する記憶ステップと、を備えることを特徴とする。
【００１７】
また、本発明におけるプログラムは、電源を供給する電池の各種情報を検出するタイミングを計測する時間計測処理と、所定時間毎に各種情報を検出する検出処理と、検出処理による検出値を使用しているユーザが識別できるように記憶する記憶処理と、をコンピュータに実行させることを特徴とする。
【発明の効果】
【００１８】
本発明により、ユーザ個々の電池の使用状況・環境状況をユーザ別に保存することで、各ユーザがいかなる動作・環境で使用していたかを把握することが可能となる。
【発明を実施するための最良の形態】
【００１９】
次に、発明を実施するための最良の形態について図面を参照して詳細に説明する。
【００２０】
図１は、本発明の実施形態における携帯端末の構成図であり、電源部１と、携帯端末本体５と、で構成されている。
【００２１】
電源部１は、電池２と、検出部３と、を有して構成される。検出部３は、電圧・電流・温度などを検出する。
【００２２】
また、携帯端末本体５は、制御部６と、本体メモリ７と、制御部８と、ＳＩＭ  ＩＦ１０と、を有して構成され、本体メモリ７に格納されたプログラムにより制御部６は機能部８を制御して様々な動作を実行する。なお、制御部６は、ＵＳＩＭカード１１をＳＩＭ  ＩＦ１０を介して制御する。
【００２３】
図２は、検出部３にて検出される電圧・電流・温度などの検出例である。制御部６は、図２に示すような検出要素を、あらかじめ決められたプログラムに従って読み取り、図３に示すように本体メモリ７へと格納する。本体メモリ７に保存格納された前記情報は、ＵＳＡＴ機能を使用してＵＳＩＭカードに保存される。なお、直接ＵＳＩＭカードなどの外部記憶媒体へと記憶しても良い。
【００２４】
図２において、検出ＩＤｎは、検出部で検出される要素を示し、例えば、ＩＤ１は電圧、ＩＤ２は電流などと記号化して保持される。
【００２５】
ここで、要素の最大数はＮとし、その要素の記号はＩＤＮとする。これら要素をあらかじめ決められた時間間隔Δｔごとに検出し、その積算時間をｔで示し、検出した値を図３で示すように本体メモリ空間（ＩＤｎ，ｔ）へマッピングする。
【００２６】
次に、図４に示すフローチャートを参照して、本発明の実施形態における携帯端末の具体的な動作について詳細に説明する。
【００２７】
まずΔｔと、積算時間ｔの最大値Ｔと、検出要素最大値Ｎと、をそれぞれ設定する(ステップＳ１)。次に、ｎ＝１として検出要素ＩＤ１を指定し（ステップＳ２）、ｔ＝０として開始時間を設定する（ステップＳ３）。
【００２８】
ｔｉｍｅ＝０としてタイマを起動し（ステップＳ４）、時間間隔Δｔとなるまで論理判定を繰り返す（ステップＳ５）。時間経過し、時間間隔Δｔになると、時間ｔが最大値Ｔであるか論理判定する（ステップＳ６）。時間ｔが最大値Ｔへ至らない場合は、次に検出要素数が最大値Ｎへ至っているかを論理判定する（ステップＳ７）。検出要素数が最大値Ｎへ至っていない場合は、ＩＤｎを検出機から検出し（ステップＳ９）、本体メモリ空間（ＩＤｎ，ｔ）へ保存する（ステップＳ１０）。
【００２９】
次に、ｎをプラス１だけ加算し（ステップＳ１１）、次の検出要素ＩＤｎを検出する。これをｎが最大値Ｎになるまで繰り返し、次々にＩＤｎを検出する。
【００３０】
一方、ステップＳ７にてｎが最大値Ｎへ至った場合は、時間をプラス１だけ進め(ステップＳ８)、再度タイマーを起動し、時間間隔Δｔ後に再度ＩＤｎの検出を繰り返す（ステップＳ４、ステップＳ５）。
【００３１】
ステップＳ６にて時間ｔが最大値Ｔへ至った場合は、ｔ＝０として時間０へ再度設定する（ステップＳ３）。すなわち、時間Ｔまで至った場合は、再度ｔ＝０へ戻し、時間０から時間Ｔまでの動作を繰り返し、検出した値を本体メモリ空間（ＩＤｎ，ｔ）へ上書きをする。すなわち本体メモリ空間（ＩＤｎ，ｔ）は常に時間t＝０から時間ｔ＝Ｔの動作を繰り返すため、最新の値が継続して本体メモリへ記録保存できることになる。
【００３２】
図５は、携帯端末本体５とＵＳＩＭカード１１との間の動作シーケンスを示す図であり、ＵＳＡＴ機能を使用してメモリ７に整理保存された情報をＵＳＩＭカード１１へ書き込み記録保存する手順を示している。
【００３３】
ユーザは、携帯端末のＳＩＭ  Ｉ／Ｆ１０に、自身のＵＳＩＭカード１１を接続する。そしてこの状態で携帯端末５の電源を投入すると(ステップＳ２１)、ＳＩＭ  Ｉ／Ｆを介してＵＳＩＭカードに動作電源電圧が供給される。
【００３４】
動作状態になると携帯端末５は、ＵＳＩＭカード１１との間で先ずGeneric Commandsによる必須情報の読み込み処理を以下のように実行する。すなわち、電源が供給されるとＵＳＩＭカードは、先ずＵＳＩＭカード１１が備える基本能力、例えばデータの転送ビットレートや転送プロトコルを示す情報ＡＴＲを携帯端末５へ送信する（ステップＳ２２）。
【００３５】
携帯端末５の制御部６は、ＵＳＩＭカード１１から送られた情報ＡＴＲをもとにＵＳＩＭカードの基本能力を認識する。次に、上記基本能力を認識すると携帯端末５の制御部６は、ＵＳＩＭカード１１が記憶する必須情報を読み込むために、情報要素ごとに読出要求Read EF_xxをＵＳＩＭカードに送る。例えば、情報要素が５個ある場合には、読出要求Read  EF_０１〜Read EF_５を順次ＵＳＩＭカード１１へ送信する（ステップＳ２３〜ステップＳ２５）。
【００３６】
ＵＳＩＭカード１１は、上記読出要求Read EF_01〜Read EF_XXを受信するごとに、応答データResを携帯端末５へ送信する（ステップＳ２４〜ステップＳ２６）。かくしてGeneric Commandsによる必須データの読み込みがなされる。
【００３７】
次に、携帯端末５の制御部６は、ＵＳＡＴコマンドによる任意情報の読み込み処理を次のように実行する。すなわち制御部６は、先ず携帯端末５におけるＵＳＡＴコマンドのサポート能力を表す情報Terminal ProfileをＵＳＩＭカードに通知する（ステップＳ２７）。
【００３８】
ＵＳＩＭカードは上記Terminal Profileを受信すると、その応答Resを返送する（ステップＳ２８）。続いて制御部６は、ＵＳＩＭ内メモリへの保存を実施するコマンドをＵＳＩＭカード１１から発行する契機を与えためにコマンドFetchをＵＳＩＭカードへ送信する（ステップＳ２９）。これに対し、ＵＳＩＭカード１１はＵＳＩＭカード１１内メモリへ保存を実施するコマンドGet  Memoryを携帯端末５へ送信する（ステップＳ３２）。コマンドGet  Memoryは図６の通り、該コマンドを識別するためのコマンド識別子とアドレス範囲とデータサイズをパラメータとして含む。
【００３９】
携帯端末５の制御部６は、コマンドGet  Memoryを受信すると、パラメータの識別子とアドレス範囲から該コマンドが電池の情報ＩＤｎの送出要求であることを判別し、図３に示した本体メモリ７空間の情報をコマンドTerminal  ResにてＵＳＩＭカード１１へ送信する（ステップＳ３３）。
【００４０】
コマンドTerminal  Resは図６の通り、パラメータとしてパラメータ識別子とデータサイズとデータそのものを含んでおり、コマンドTerminal  Resを受信したＵＳＩＭカード１１は、パラメータ識別子から求める電池の情報ＩＤｎであることを判別し、データを受信し前記アドレス範囲に保存する。
【００４１】
次にＩＤｎを保存した旨を携帯端末へコマンドResで返信する（ステップＳ３４）。また、携帯端末５はステップＳ２９にてコマンドFetchを発行した後、すみやかにタイマをｔｉｍｅ＝０へ設定し、タイマを起動後（ステップＳ３０）、時間Δｔだけ待機し（ステップＳ３１）、次のコマンドFetchを発行する。このような動作を繰り返すことにより、次々に最新の本体メモリ空間の情報をＵＳＩＭカード１１へ送信することができ、ＵＳＩＭカード１１は電池の最新の検出要素を記録保存することができる。
【００４２】
本実施形態では、ＵＳＩＭカードを使用し、ＵＳＡＴ機能を利用した簡便な方法を示しているが、もちろん他の外部記憶カードを使用し、ＵＳＡＴ機能を利用せず、ＩＦを規定しコマンドを一つ一つ実装した構成としてもよい（特に図示せず）。なお、他の外部記憶カードや本体メモリ自体に保持しておく場合には、ＵＳＩＭなどより、ユーザ個別の情報を取得し、前記情報と関連づけて記憶する。
【００４３】
本発明の実施形態によれば、例えば個々のユーザの使用下で発熱の事象が発生した場合、該ユーザのＵＳＩＭカードから電池使用・環境状況を把握でき、迅速な原因究明が可能となる。ひいては同様な事象が同機器を使用している他のユーザで発生することを未然に防ぐことが可能となる効果がある。
【００４４】
また上述したようにＵＳＡＴ機能は、携帯端末とＵＳＩＭカードとの間の情報授受について規定しているため、図５で示すようにＵＳＡＴ機能を利用して、図６のようなコマンドを追加使用することにより、比較的簡単に本構成を実装できる。
【００４５】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【産業上の利用可能性】
【００４６】
電池を使用し、ＵＳＩＭカードを使用している携帯端末の機能に本構成を付与することで、電池の発熱・発煙に対する対策・管理を強化することができる。
【図面の簡単な説明】
【００４７】
【図１】本発明の実施形態に係る携帯端末の構成図である。
【図２】検出要素の一例を示す図である。
【図３】メモリ空間へのマッピング例を示す図である。
【図４】本発明の実施形態に係る携帯端末のフローチャート図である。
【図５】携帯端末本体とＵＳＩＭカードとの間の動作シーケンス図である。
【図６】各コマンドの有するパラメータの例である。
【図７】従来における携帯端末の構成図である。
【符号の説明】
【００４８】
１    電源部
２    電池
３    検出部
５    携帯端末本体
６    制御部
７    メモリ
８    機能部
１０    ＳＩＭ  ＩＦ
１１    ＵＳＩＭ
【図１】
2010130589.tif 000003
【図２】
2010130589.tif 000004
【図３】
2010130589.tif 000005
【図４】
2010130589.tif 000006
【図５】
2010130589.tif 000007
【図６】
2010130589.tif 000008
【図７】
2010130589.tif 000009